(57)【要約】【課題】  外部の通信端末から運転許可モードに切り替えられた場合でも、ユーザが予期せぬ高温の出湯を回避することができる給湯装置を提供する。【解決手段】  給湯装置本体２と、制御装置４と、１または複数の専用リモコン３ａ，３ｂと、を備え、制御装置４は、運転許可モードと運転停止モードとを有し、専用リモコン３ａ，３ｂまたは通信端末６１から送信されるモード切替信号に基づいて、運転許可モードと運転停止モードとを相互に切り替え可能に構成されており、専用リモコン３ａ，３ｂとの間の通信状態の判定を行い、運転停止モードから運転許可モードに切り替えるためのモード切替信号を通信端末６１から受信したときに、全てまたは少なくとも１つの専用リモコン３ａ，３ｂとの間の通信状態が異常である場合には、所定の安全温度を給湯目標温度に設定し、これ以外の場合には、前回の給湯目標温度と同じ温度を給湯目標温度に設定するよう構成されている。【選択図】  図１
2020153526.tif 000002
【特許請求の範囲】
【請求項１】
水を加熱して出湯する給湯運転を含む１種類以上の運転が可能なように構成された給湯装置本体と、
前記給湯装置本体が給湯運転を行う際に出湯する湯の温度が給湯目標温度となるように前記給湯装置本体を制御する制御装置と、
前記制御装置と通信可能に接続され、前記制御装置に設定される給湯目標温度の情報を前記制御装置へ送信可能に構成された１または複数の専用リモコンと、
を備え、
前記制御装置は、
前記給湯装置本体の運転を許可する運転許可モードと、前記給湯装置本体の運転を許可しない運転停止モードとを有し、
前記専用リモコンから送信されるモード切替信号に基づいて、前記運転許可モードと前記運転停止モードとを相互に切り替え可能に構成されるとともに、外部通信網を介して前記専用リモコンとは別の通信端末と通信可能に接続され、前記通信端末から送信されるモード切替信号に基づいて、前記運転許可モードと前記運転停止モードとを相互に切り替え可能に構成されており、
前記専用リモコンとの間の通信状態が正常か異常かの判定を繰り返し行い、前記運転停止モードから前記運転許可モードに切り替えるためのモード切替信号を前記通信端末から受信したときに、全てまたは少なくとも１つの前記専用リモコンとの間の通信状態が異常である場合には、予め記憶された所定の安全温度を給湯目標温度に設定し、前記異常である場合以外の場合には、前回の運転許可モード時の給湯目標温度と同じ温度を給湯目標温度に設定するよう構成された、
給湯装置。
【請求項２】
前記制御装置は、
給湯目標温度を前記所定の安全温度に設定して前記給湯装置本体に給湯運転を開始させた場合、その給湯運転が終了するまで、給湯目標温度を前記所定の安全温度に維持するよう構成された、
請求項１に記載の給湯装置。
【請求項３】
前記制御装置は、
これと接続された中継装置から前記外部通信網を介して前記通信端末と通信可能に接続され、前記中継装置との間の通信状態が正常か異常かの判定を繰り返し行うよう構成されるとともに、全ての前記専用リモコンとの間の通信状態が異常であり、かつ、前記中継装置との間の通信状態が異常である場合には、前記運転停止モードを保持するよう構成された、
請求項１または２に記載の給湯装置。
【発明の詳細な説明】
【技術分野】
【０００１】
本発明は、給湯装置に関する。
【背景技術】
【０００２】
従来から、給湯装置には、遠隔操作するための１または複数の専用のリモコンが設けられている。ユーザは、リモコンを操作して希望する給湯温度を入力することができる。このリモコンで入力される給湯温度は、給湯装置の制御装置へ送信され、制御装置に給湯目標温度として設定（記憶）される。ユーザが給湯栓を開いて湯を使用時には、制御装置は、出湯する湯の温度が給湯目標温度となるように給湯装置を制御する給湯運転を行う。
【０００３】
特許文献１には、加熱手段の作動を制御する加熱制御手段を備えた給湯器本体と、給湯器本体から供給される湯の温度を設定するリモコンとからなるリモコン付き給湯装置において、加熱制御手段とリモコンとの通信が異常になると、この異常発生直前において設定されていた設定温度に基づいて加熱手段を作動させることが記載されている。
【０００４】
特許文献２には、給湯器のコントローラにリモコンで給湯温度を設定し、コントローラは、運転中にリモコンとの間の断線が検出された場合には設定温度の変更を禁止することが記載されている。
【０００５】
特許文献３には、給湯装置において、加熱手段を制御するコントローラに、給湯の設定温度を設定するリモコンを接続可能であって、コントローラがリモコンの接続の有無に応じて出湯する湯の温度を変更することが記載されている。
【先行技術文献】
【特許文献】
【０００６】
【特許文献１】特開平８−５１５８号公報
【特許文献２】特公平７−６５８０８号公報
【特許文献３】特許５０７０２３０号公報
【発明の概要】
【発明が解決しようとする課題】
【０００７】
ところで、給湯装置に備えられたリモコンでは、例えば、オンオフスイッチ（運転スイッチとも呼ばれる）が設けられ、このオンオフスイッチを押下げ操作することにより、オンモードとオフモードとが切り替えられるようになっている。オンモードは、給湯運転等の運転を許可する運転許可モードであり、オフモードは、運転を許可しない運転停止モードである。
【０００８】
また、近年では、ユーザが所有しているスマートフォン等の通信端末を用いて、給湯装置の遠隔操作を行えるシステムが開発されている。このような通信端末においても、オンモードとオフモードとを切り替えることができる。
【０００９】
従来の給湯装置では、例えば、オフモードからオンモードに切り替えられたときには、オフモードになる直前に設定されていた温度が給湯目標温度に設定される。そして、オフモードになる直前の給湯目標温度が高温（例えば６０℃）に設定されていた場合に、オフモードからオンモードに切り替えられたときに、リモコンから高温出湯する旨を報知し（音声にて出力）、ユーザに注意喚起を行うようにしていた。
【００１０】
ところが、制御装置とリモコンとの通信状態が異常（通信不能）になった場合に、通信端末の操作によってオフモードからオンモードに切り替えられると、リモコンから高温出湯する旨の報知を行うことができず、ユーザが湯を使用する際に予期していない高温の湯が出湯されることになる。
【００１１】
本発明は上記のような課題を解決するためになされたもので、外部の通信端末から運転許可モード（オンモード）に切り替えられた場合でも、ユーザが予期せぬ高温の出湯を回避することができる給湯装置を提供することを目的としている。
【課題を解決するための手段】
【００１２】
上記目的を達成するために、本発明のある態様に係る給湯装置は、水を加熱して出湯する給湯運転を含む１種類以上の運転が可能なように構成された給湯装置本体と、前記給湯装置本体が給湯運転を行う際に出湯する湯の温度が給湯目標温度となるように前記給湯装置本体を制御する制御装置と、前記制御装置と通信可能に接続され、前記制御装置に設定される給湯目標温度の情報を前記制御装置へ送信可能に構成された１または複数の専用リモコンと、を備え、前記制御装置は、前記給湯装置本体の運転を許可する運転許可モードと、前記給湯装置本体の運転を許可しない運転停止モードとを有し、前記専用リモコンから送信されるモード切替信号に基づいて、前記運転許可モードと前記運転停止モードとを相互に切り替え可能に構成されるとともに、外部通信網を介して前記専用リモコンとは別の通信端末と通信可能に接続され、前記通信端末から送信されるモード切替信号に基づいて、前記運転許可モードと前記運転停止モードとを相互に切り替え可能に構成されており、前記専用リモコンとの間の通信状態が正常か異常かの判定を繰り返し行い、前記運転停止モードから前記運転許可モードに切り替えるためのモード切替信号を前記通信端末から受信したときに、全てまたは少なくとも１つの前記専用リモコンとの間の通信状態が異常である場合には、予め記憶された所定の安全温度を給湯目標温度に設定し、前記異常である場合以外の場合には、前回の運転許可モード時の給湯目標温度と同じ温度を給湯目標温度に設定するよう構成されている。
【００１３】
ここで、例えば、制御装置は、運転停止モードから運転許可モードに切り替えるためのモード切替信号を通信端末から受信したときに、全ての専用リモコンとの間の通信が異常である場合には、給湯目標温度を予め記憶された所定の安全温度に設定し、少なくとも１つの専用リモコンとの間の通信状態が正常である場合には、給湯目標温度を前回の給湯目標温度と同じ温度に設定するよう構成される。あるいは、制御装置は、運転停止モードから運転許可モードに切り替えるためのモード切替信号を通信端末から受信したときに、少なくとも１つの専用リモコンとの間の通信が異常である場合には、給湯目標温度を予め記憶された所定の安全温度に設定し、全ての専用リモコンとの間の通信状態が正常である場合には、給湯目標温度を前回の給湯目標温度と同じ温度に設定するよう構成される。
【００１４】
この構成によれば、制御装置は、専用リモコンとは別の通信端末の操作に基づいて運転停止モードから運転許可モードに切り替えるときに、全てまたは少なくとも１つの専用リモコンとの間の通信状態が異常である場合には、所定の安全温度を給湯目標温度に設定するよう構成されている。したがって、通信端末から運転許可モードに切り替えられた場合でも、ユーザが予期せぬ高温の出湯を回避することができる。
【００１５】
前記制御装置は、給湯目標温度を前記所定の安全温度に設定して前記給湯装置本体に給湯運転を開始させた場合、その給湯運転が終了するまで、給湯目標温度を前記所定の安全温度に維持するよう構成されていてもよい。これにより、通信状態が正常なあるいは正常に復活した専用リモコンによる給湯目標温度の変更を排除し、ユーザが湯を使用中に、その湯の温度が変更されることを防止することができる。
【００１６】
前記制御装置は、これと接続された中継装置から前記外部通信網を介して前記通信端末と通信可能に接続され、前記中継装置との間の通信状態が正常か異常かの判定を繰り返し行うよう構成されるとともに、全ての前記専用リモコンとの間の通信状態が異常であり、かつ、前記中継装置との間の通信状態が異常である場合には、前記運転停止モードを保持するよう構成されていてもよい。
【発明の効果】
【００１７】
本発明は、以上に説明した構成を有し、外部の通信端末から運転許可モードに切り替えられた場合でも、ユーザが予期せぬ高温の出湯を回避することができる給湯装置を提供することができるという効果を奏する。
【図面の簡単な説明】
【００１８】
【図１】図１は、本実施形態に係る給湯装置の一例の概略構成を示すブロック図である。
【図２】図２は、本実施形態において通信端末に表示される給湯操作画面の一例を示す図である。
【図３】図３は、本実施形態において通信端末によりオフモードからオンモードに切り替えるオンモード切替信号が送信された場合の給湯目標温度設定処理の流れの一例を示すフローチャートである。
【発明を実施するための形態】
【００１９】
以下、好ましい実施形態を、図面を参照しながら説明する。なお、本発明は、以下の実施形態に限定されない。
【００２０】
（実施形態）
図１は、本実施形態に係る給湯装置の一例の概略構成を示すブロック図である。
【００２１】
本実施形態の給湯装置１は、給湯装置本体２と、給湯装置本体２の制御を行う制御装置４と、２つの専用リモコン３ａ，３ｂと、を備えている。制御装置４は、給湯装置本体２と同じ筐体内に収納されている。
【００２２】
ここでの給湯装置本体２は、台所や浴室等の給湯栓（カラン、シャワー栓等）へ湯を供給する給湯機能、風呂（浴槽）へ湯を供給する風呂注湯機能、及び風呂の追いだき機能を有する周知の構成のものである。給湯装置本体２は、例えば、燃焼加熱式の熱源機であり、給湯用熱交換器および追いだき用熱交換器と、これら各熱交換器を加熱するバーナ等の加熱装置などを備えている。そして、給湯装置本体２は、外部の給水源から水を導入して給湯用熱交換器に至る入水路と、給湯用熱交換器からの高温水を給湯目標温度となるように温度調整して出湯する出湯路とを備えている。この出湯路は外部配管を介して給湯栓に接続されている。また、追いだき用熱交換器と浴槽との間で追いだき用循環流路が形成されている。この追いだき用循環流路は、追いだき用熱交換器と外部配管を介して浴槽に接続される戻り流路と、追いだき用熱交換器と外部配管を介して浴槽に接続される往き流路とを有している。また、風呂注湯機能によって浴槽へ湯を供給するために、給湯用熱交換器に接続された出湯路の湯を追いだき用循環流路を介して浴槽内へ供給することができるよう構成されている。
【００２３】
専用リモコン３ａ，３ｂは、室内の壁面等に設置され、制御装置４を介して給湯装置本体２の遠隔操作を可能に構成されたリモコン機器である。制御装置４および各専用リモコン３ａ，３ｂは、通信線８を介して互いに通信可能に接続されている。より詳しくは、制御装置４の通信部６と、各専用リモコン３ａ，３ｂの通信部３１と、専用リモコン３ｂの外部通信部３９とが、互いに通信線８で接続され、互いに通信可能である。よって、制御装置４の制御部５と、各専用リモコン３ａ，３ｂの制御部３８と、専用リモコン３ｂの外部通信部３９とが、通信線８を介して、相互に通信可能である。通信線８は、例えば、電源線としても機能し、制御装置４から専用リモコン３ａ，３ｂへ供給される電源電圧に通信情報を重畳させることが可能な２芯通信線を用いることができる。
【００２４】
専用リモコン３ａ，３ｂから制御装置４へ送信される情報には、ユーザの専用リモコン３ａ，３ｂの操作（オンモードとオフモードの切り替え操作、追いだき運転開始操作、ふろ自動運転開始操作、給湯目標温度の設定操作など）に応じた操作信号等が含まれる。また、制御装置４から専用リモコン３ａ，３ｂへ送信される情報には、専用リモコン３ａ，３ｂの報知部３２から出力される情報等が含まれる。
【００２５】
制御装置４は、制御部５、通信部６および記憶部７を有している。制御部５は、ＣＰＵ、ＲＯＭ、およびＲＡＭ等で構成されたマイクロコントローラや集積回路を備えている。制御部５と、給湯装置本体２を構成する給湯用および追いだき用の各熱交換器を加熱する加熱装置、送風機、風呂ポンプをはじめとする各機器等との間には、各機器等を制御する信号経路（図示せず）が設けられている。また、給湯装置本体２に設けられた温度センサ、流量センサ等の各種センサの出力信号が制御部５に入力されるよう構成されている。
【００２６】
記憶部７は、例えば、フラッシュメモリのような不揮発性メモリ等により構成される。制御部５は、記憶部７に記憶された制御プログラムに従って給湯装置本体２の各種制御を実行する。制御プログラムには、運転に関する各種プログラムが含まれており、これらのプログラムに基づいて給湯装置本体２内の各機器の制御が行われる。
【００２７】
また、記憶部７は、ユーザの操作によって２つの専用リモコン３ａ，３ｂのそれぞれから入力される給湯目標温度を、対応する専用リモコン３ａ，３ｂの情報とともに記憶する。
【００２８】
第１専用リモコン３ａは、浴室内に設置される浴室リモコンとして構成される。第２専用リモコン３ｂは、例えば台所の近傍に設置される台所リモコンとして構成される。
【００２９】
各専用リモコン３ａ，３ｂは、制御装置４へ給湯装置本体２に対する指令等を入力操作するための入力操作部３４ａ，３４ｂと、給湯装置本体２に関する情報等を報知する報知部３２と、制御装置４等と通信線８を介して通信を行うための通信部３１と、記憶部３３と、制御部（リモコン制御部）３８と、を備えている。報知部３２は、給湯および／または風呂湯水についての現在設定の目標温度、動作状態、現在時刻等が表示されるディスプレイ（表示部）と、警告音、所定のアナウンス等を出力するスピーカ（音声出力部）とを含む。
【００３０】
入力操作部３４ａ，３４ｂは、複数の操作ボタン（４１〜４５等）を備えている。この操作ボタンには、温度上昇ボタン４１、温度低下ボタン４２、オンオフボタン４３、追いだきボタン４４およびふろ自動ボタン４５が含まれる。なお、図１では、第２専用リモコン３ｂにおいて、追いだきボタン４４およびふろ自動ボタン４５の図示が省略されている。
【００３１】
制御部３８は、マイクロコントローラ等により構成され、複数の操作ボタンの何れかが押下操作された場合に、当該押下操作された操作ボタンに応じた操作信号を生成する。生成された操作信号は、通信部３１，６を介して制御部５に送られる。
【００３２】
制御装置４（制御部５）は、給湯装置本体２の運転を許可するモードであるオンモード（運転許可モード）と、給湯装置本体２の運転を許可しないモードであるオフモード（運転停止モード）との２つのモードを有している。制御装置４の記憶部７には、現在のモード（オンモードであるかオフモードであるか）の情報が記憶されている。給湯装置本体２の各種運転（給湯運転、追いだき運転、ふろ自動運転等）は、オンモードの場合に行い得るが、オフモードの場合には行えない。
【００３３】
各専用リモコン３ａ，３ｂの制御部３８は、オンオフボタン４３が押下操作されると、制御装置４の制御部５にモードを切り替えるモード切替信号を送信する。制御部５は、モード切替信号に基づいてオンモードとオフモードとを相互に切り替える。よって、ユーザが何れかの専用リモコン３ａ，３ｂのオンオフボタン４３を押下操作することにより、オンモードとオフモードとの間で相互に切り替えることができる。なお、現在のモードの情報は、例えば、オンオフボタン４３の近傍に設けられたランプ（図示せず）が点灯していればオンモードであり、消灯していればオフモードであるというように報知され、ユーザは現在のモードを知ることができる。
【００３４】
制御部３８は、温度上昇ボタン４１が押下操作されると、押下操作された回数または時間に応じて給湯装置本体２から供給される湯の温度の目標値である給湯目標温度を上昇させ、温度低下ボタン４２が押下操作されると、押下操作された回数または時間に応じて給湯目標温度を低下させる。このようにして各専用リモコン３ａ，３ｂを用いて設定される給湯目標温度は、対応する記憶部３３に記憶される。さらに、専用リモコン３ａ，３ｂの制御部３８は、設定される給湯目標温度を通信部３１，６を介して制御装置４の制御部５に送信する。制御部５では、各専用リモコン３ａ，３ｂから受信した給湯目標温度のうち、少なくとも最新の給湯目標温度を記憶部７に記憶する。ユーザは、報知部３２のディスプレイに表示される温度を見ながら、温度上昇ボタン４１及び温度低下ボタン４２を操作して給湯目標温度を設定することができる。
【００３５】
制御部３８は、現在のモードがオンモードのときに、追いだきボタン４４が押下操作されると、制御部５に追いだき運転開始信号を送信する。追いだき運転開始信号を受信した制御部５は、給湯装置本体２に追いだき運転を開始させる。また、制御部３８は、現在のモードがオンモードのときに、ふろ自動ボタン４５が押下操作されると、制御部５にふろ自動運転開始信号を送信する。ふろ自動運転開始信号を受信した制御部５は、給湯装置本体２に浴槽の自動湯張り運転を開始させる。また、現在、追いだき運転が行われているか否かの情報、ふろ自動運転が行われているか否かの情報は、それぞれ、追いだきボタン４４、ふろ自動ボタン４５の近傍に設けられたランプ（図示せず）が点灯しているか否かによって報知される。
【００３６】
また、現在のモードがオンモードのときに、給湯装置本体２の出湯路に外部配管を介して接続された給湯栓をユーザが開くことにより、入水路への入水流量が最低作動流量以上になったことが入水路に設けられた流量センサの出力信号に基づいて制御部５によって検出される。それにより、制御部５は給湯装置本体２に給湯運転（給湯用熱交換器を加熱する加熱装置等の作動）を開始させ、給湯栓から給湯目標温度の湯が流出される。なお、現在のモードがオフモードのときに給湯栓が開かれても、制御部５は給湯運転を開始させないので、給湯栓からは加熱されていない水が流出される。
【００３７】
また、第２専用リモコン３ｂには、中継装置として機能する外部通信部３９が設けられている。この外部通信部３９は、無線ＬＡＮルータ等のルータ６２と無線ＬＡＮの接続設定が行われており、ルータ６２との間で無線ＬＡＮによる無線通信が可能である。ここで、外部通信部３９におけるルータ６２との通信設定を行う際に、第２専用リモコン３ｂの図示されない通信設定用スイッチが操作され、そのスイッチからの信号が制御部３８から外部通信部３９へ直接送信されるようになっている。なお、ルータ６２との通信設定が行われた後は、外部通信部３９と第２専用リモコン３ｂ内の制御部３８との間の通信は、通信線８を介して行われる。
【００３８】
よって、外部通信部３９は、通信線８を介して行う制御装置４及び各専用リモコン３ａ，３ｂの通信部３１との間の通信処理を実行するとともに、ルータ６２及びインターネット等の外部通信網６３を介して行う管理装置６４との間の通信処理等を実行する。
【００３９】
制御装置４の制御部５は、外部通信部３９、ルータ６２及び外部通信網６３を介して、サーバ装置等で構成される管理装置６４と通信を行う。また、制御装置４の制御部５は、外部通信部３９、ルータ６２及び外部通信網６３を介して専用リモコン３ａ，３ｂとは別の通信端末６１と通信接続される。
【００４０】
通信端末６１は、例えばスマートフォン等のユーザ所有の携帯端末であり、携帯電話網の基地局等を介して外部通信網６３に接続可能である。また、通信端末６１は、無線ＬＡＮ接続が可能である。通信端末６１は、外部通信網６３を介して管理装置６４と通信を行う。
【００４１】
前述のように中継装置として機能する外部通信部３９は、制御部５との間の通信処理を実行するとともに、ルータ６２および外部通信網６３を介して行う管理装置６４との間の通信処理を実行する。外部通信部３９は、例えば、制御部５から送信されてきた機器情報を、通信形式を変換してルータ６２および外部通信網６３を介して管理装置６４へ送信する。また、管理装置６４から外部通信網６３およびルータ６２を介して送信されてきた情報を、通信形式を変換して制御部５へ送信する。
【００４２】
管理装置６４は、関連付け情報を記憶する記憶部６４ａを備えている。関連付け情報は、第２専用リモコン３ｂのシリアル番号（中継装置の識別情報）に、通信端末６１から送信されたユーザアカウント（使用者識別情報）が関連付けされてなる情報である。
【００４３】
また、管理装置６４の記憶部６４ａには、外部通信部３９から送信された機器情報が記憶される。ここで、機器情報としては、制御部５から電源投入後に最初に外部通信部３９へ送信される機器構成情報、制御部５から定期的（例えば１時間間隔）に外部通信部３９へ送信される給湯装置本体２の運転状態を示す運転状態情報、エラー情報等がある。ここで、機器構成情報は、給湯装置本体２の種類等を示す情報であり、運転状態情報は、給湯装置本体２の給湯目標温度、燃焼運転回数、燃焼運転時間等を含む情報である。エラー情報は、給湯装置１に何らかの異常が発生したときに、その異常を示す情報である。
【００４４】
これらの機器情報は、外部通信部３９から第２専用リモコン３ｂのシリアル番号とともに管理装置６４へ送信される。そして管理装置６４では、受信した機器情報を、第２専用リモコン３ｂのシリアル番号と関連付けて記憶部６４ａに記憶している。
【００４５】
通信端末６１には、給湯装置専用のアプリケーションプログラム（以下、「専用アプリ」という）がインストールされており、管理装置６４の記憶部６４ａに関連付け情報が記憶されていれば、第２専用リモコン３ｂのシリアル番号と関連付けられているユーザアカウントを用いて、管理装置６４等を介して給湯装置本体２の遠隔操作および状態確認を行うことができる。すなわち、管理装置６４は、記憶部６４ａに記憶された関連付け情報において関連付けられた通信端末６１と第２専用リモコン３ｂ（外部通信部３９）との間の管理装置６４を介した通信を許可する。
【００４６】
図２は、本実施形態において通信端末６１に表示される給湯操作画面の一例を示す図である。通信端末６１は、タッチ操作による操作入力が可能なタッチパネルを有する表示部６１ａを有している。ユーザは通信端末６１を操作して専用アプリを起動させ、表示部６１ａに給湯操作画面を表示させることができる。この給湯操作画面には、タッチ操作可能な操作ボタン７０として、オンオフボタン７３、追いだきボタン７４、ふろ自動ボタン７５、予約ボタン７６等が表示される。ここで、オンオフボタン７３、追いだきボタン７４、ふろ自動ボタン７５は、専用リモコン３ａ，３ｂのオンオフボタン４３、追いだきボタン４４、ふろ自動ボタン４５に対応するものである。また、給湯操作画面では、専用リモコン３ａ，３ｂ同様、現在のモード（オフモード／オンモード）の情報、追いだき運転が行われているか否かの情報、ふろ自動運転が行われているか否かの情報も報知（表示）するようになっている。これらの情報は、例えば、オンオフボタン７３、追いだきボタン７４、ふろ自動ボタン７５の表示色が変更されることにより、報知するようにしてもよい。
【００４７】
例えば、現在のモードがオンモードのときに、ユーザが追いだきボタン７４をタッチ操作すると、通信端末６１から管理装置６４を介して対応する給湯装置１の制御部５に追いだき運転開始信号を送信する。
【００４８】
また、現在のモードがオンモードのときに、ユーザがふろ自動ボタン７５をタッチ操作すると、通信端末６１から管理装置６４を介して対応する給湯装置１の制御部５にふろ自動運転開始信号を送信する。
【００４９】
また、ユーザがオンオフボタン７３をタッチ操作すると、通信端末６１から管理装置６４を介して対応する給湯装置１の制御部５にモードを切り替える信号（オンモード切替信号またはオフモード切替信号）を送信する。ここで、現在オフモードである場合にオンオフボタン７３をタッチ操作すると、オンモードに切り替えるためのオンモード切替信号が送信され、現在オンモードである場合にオンオフボタン７３をタッチ操作すると、オフモードに切り替えるためのオフモード切替信号が送信される。なお、オンモード切替信号とオフモード切替信号は特に区別することなく、同一の信号（モード切替信号）としてもよい。
【００５０】
よって、制御部５は、通信端末６１からのオンオフボタン７３のタッチ操作に基づいて、オンモードとオフモードとを相互に切り替え可能（変更可能）に構成される。例えば、現在のモードがオフモードであるときには、オンオフボタン７３をタッチ操作して、オンモードに切り替えてから、追いだきボタン７４またはふろ自動ボタン７５のタッチ操作による給湯装置本体２の運転操作が可能になる。
【００５１】
また、予約ボタン７６は、風呂の湯張り、湯沸しを設定時刻において完了する予約操作を実行するためのボタンである。ユーザが予約ボタン７６をタッチ操作すると、設定時刻設定画面（図示せず）が表示され、設定時刻を入力することにより、通信端末６１から管理装置６４を介して対応する給湯装置１の制御部５に予約信号を入力された設定時刻とともに送信する。
【００５２】
このようにして、通信端末６１は、給湯装置本体２の遠隔操作を行うことができる汎用（またはサブ）リモコンとして機能する。
【００５３】
本実施形態では、制御装置４は、専用リモコン３ａ，３ｂの各通信部３１と、例えば所定時間間隔で通信を行い、その通信結果（応答の有無等）に基づいて、各々との間の通信状態が正常であるか異常であるかを判定するようにしている。この判定は、通信部６で行い、その結果を制御部５へ伝送するようにしてもよいし、通信部６の通信結果に基づいて制御部５が判定するようにしてもよい。
【００５４】
例えば、制御装置４は、図１に示す箇所Ｃ１で通信線８が断線した場合には、専用リモコン３ａの通信部３１との通信が行えず、専用リモコン３ａとの間の通信状態は異常であると判定する。一方、専用リモコン３ａの通信部３１との間の通信線８に断線等が無く、専用リモコン３ａの通信部３１との通信が行える場合には、専用リモコン３ａとの間の通信状態は正常であると判定する。
【００５５】
また、図１に示す箇所Ｃ２で通信線８が断線した場合には、制御装置４は専用リモコン３ｂの通信部３１との通信が行えず、専用リモコン３ｂとの間の通信状態は異常であると判定する。一方、専用リモコン３ｂの通信部３１との間の通信線８に断線等が無く、専用リモコン３ｂの通信部３１との通信が行える場合には、専用リモコン３ｂとの間の通信状態は正常であると判定する。
【００５６】
また、図１に示す箇所Ｃ２で通信線８が断線していても、制御装置４は、外部通信部３９との通信を正常に行い得る。なお、通信線８の断線だけに限らず、何らかの異常により専用リモコン３ａ，３ｂの各通信部３１との間の通信が行えなければ、制御装置４は専用リモコン３ａ，３ｂとの間の通信状態は異常であると判定する。
【００５７】
図３は、本実施形態において通信端末６１によりオフモードからオンモードに切り替えるオンモード切替信号が送信された場合の給湯目標温度設定処理の流れの一例を示すフローチャートである。なお、ここでは、制御装置４と中継装置（外部通信部３９）との間の通信状態は正常であるものとする。
【００５８】
制御装置４は、全ての専用リモコン３ａ，３ｂ（通信部３１）との間の通信状態が異常であるか否かを判定する（ステップＳ１）。
【００５９】
そして、全ての専用リモコン３ａ，３ｂとの間の通信状態が異常である場合（ステップＳ１でＹｅｓ）には、制御装置４は、現在のモードをオフモードにする（ステップＳ２）。このステップＳ２では、直前のモードがオンモードであればオフモードに切り替え、オフモードであればオフモードを維持する。
【００６０】
次に、制御装置４は、通信端末６１からオンモード切替信号を受信すると（ステップＳ３でＹｅｓ）、オンモードに切り替えて（ステップＳ４）、所定の安全温度を給湯目標温度（今回の給湯目標温度）に設定する（ステップＳ５）。上記の安全温度は、工場出荷時等において予め記憶部７に記憶されており、ユーザの安全を確保することができる温度（例えば４２℃など）である。また、この安全温度は、給湯装置１の電源の投入後初めてオフモードからオンモードに切り替える場合等、記憶部７に給湯目標温度が設定されたことがない場合には、給湯目標温度の初期値として設定される。
【００６１】
また、全ての専用リモコン３ａ，３ｂとの間の通信状態が異常である場合以外の場合（ステップＳ１でＮｏ）、すなわち、少なくとも１つの専用リモコン（３ａ，３ｂ）との間の通信状態が正常である場合に、通信端末６１からオンモード切替信号を受信すると（ステップＳ６でＹｅｓ）、制御装置４はオンモードに切り替えて（ステップＳ７）、前回のオンモード時に設定されていた（すなわち最新の）給湯目標温度と同じ温度を今回の給湯目標温度に設定する（ステップＳ８）。
【００６２】
上記のステップＳ５、Ｓ８の後、ユーザが給湯栓を開いて給湯運転が開始された場合には、制御装置４は、出湯する湯の温度がステップＳ５、Ｓ８で設定された給湯目標温度となるように給湯装置本体２を制御する。
【００６３】
なお、上記の例では、ステップＳ１において、全ての専用リモコン３ａ，３ｂとの間の通信状態が異常であるか否かを判定するようにしたが、これに代えて、少なくとも１つの専用リモコン３ａ，３ｂとの間の通信状態が異常であるか否かを判定するようにしてもよい。この場合、少なくとも１つの専用リモコン（３ａ，３ｂ）との間の通信状態が異常であるときに、ステップＳ１でＹｅｓとなり、全ての専用リモコン３ａ，３ｂとの間の通信状態が正常であるときにのみ、ステップＳ１でＮｏとなる。また、この場合、ステップＳ２の処理は、ステップＳ１で全ての専用リモコン３ａ，３ｂとの間の通信状態が異常である場合にのみ行われ、少なくとも１つの専用リモコン（３ａ，３ｂ）との間の通信状態が正常である場合には省略される。
【００６４】
また、ステップＳ５の後、安全温度を給湯目標温度として給湯運転が開始された場合において、この給湯運転が終了するまでは給湯目標温度として安全温度が維持されるようにしている。これにより、通信状態が正常なあるいは正常に復活した専用リモコン（３ａ，３ｂ）による給湯目標温度の変更を排除し、ユーザが湯を使用中に、その湯の温度が変更されることを防止することができる。
【００６５】
本実施形態では、制御装置４は、専用リモコン３ａ，３ｂとは別の通信端末６１の操作に基づいてオフモード（運転停止モード）からオンモード（運転許可モード）に切り替えるときに、全てまたは少なくとも１つの専用リモコン（３ａ，３ｂ）との間の通信状態が異常である場合には、所定の安全温度を給湯目標温度に設定するよう構成されている。したがって、通信端末６１からオンモードに切り替えられた場合でも、ユーザが予期せぬ高温の出湯を回避することができる。また、通信端末６１からオンモードに切り替えられることで、給湯運転等の各種運転が可能となり、ユーザの利便性を損なわずに済む。
【００６６】
また、本実施形態において、制御装置４は、いずれかの専用リモコン３ａ，３ｂのオンオフボタン４３の操作に基づいて、オフモードからオンモードに切り替えるときには、前回設定されていた給湯目標温度と同じ温度を今回の給湯目標温度に設定するよう構成されている。そして、この場合に設定される給湯目標温度が所定温度（例えば６０℃）以上の高温である場合には、各専用リモコン３ａ，３ｂの報知部３２から高温出湯する旨を報知させ（スピーカから音声にて出力）、ユーザに注意喚起を行うようにしている。
【００６７】
また、制御装置４は、通信端末６１の操作に基づいて、オフモードからオンモードに切り替えるときに、前回設定されていた給湯目標温度と同じ温度を今回の給湯目標温度に設定する場合において、設定される給湯目標温度が所定温度（例えば６０℃）以上の高温である場合には、通信状態が正常である専用リモコン３ａ，３ｂの報知部３２から高温出湯する旨を報知させ（スピーカから音声にて出力）、ユーザに注意喚起を行うにしている。
【００６８】
また、本実施形態において、制御装置４は、外部通信部３９との間の通信状態についても、専用リモコン３ａ，３ｂの通信部３１との間の通信状態を判定する場合と同様にして判定するようにしてもよい。この場合、制御装置４は、外部通信部３９との通信を正常に行える場合には、中継装置（外部通信部３９）との間の通信状態は正常であると判定し、外部通信部３９との通信が行えない場合には、中継装置との間の通信状態は異常であると判定する。そして、制御装置４は、全ての専用リモコン３ａ，３ｂ（通信部３１）との間の通信状態が異常であると判定するとともに、中継装置（外部通信部３９）との間の通信状態も異常であると判定した場合には、オフモードを保持して、給湯運転を禁止するようにしてもよい。
【００６９】
なお、本実施形態では、第２専用リモコン３ｂにルータ６２と通信接続される中継装置（外部通信部３９）を内蔵した構成を例示したが、これに限られない。例えば、第１専用リモコン３ａに中継装置を内蔵した構成としてもよいし、専用リモコン３ａ，３ｂとは別に中継装置が設けられていてもよい。
【００７０】
また、本実施形態においては、外部通信網６３としてインターネットを例示したが、外部通信網６３は、有線通信または無線通信を問わず、給湯装置１の中継装置と通信可能な所定の通信規格による通信網であれば特に限定されない。例えば、外部通信網６３としてECHONET Lite（登録商標）規格等が用いられ得る。この場合、中継装置として通信規格専用の通信アダプタが設けられる。また、通信端末６１は、複数の設備機器（エアコン、照明器具、家庭用発電設備等）を一括して操作可能なコントローラ（ＨＥＭＳコントローラ等）を採用することができる。
【００７１】
また、通信端末６１が通信接続される外部通信網は、ＬＡＮでもよい。すなわち、本実施形態においては、通信端末６１が管理装置６４およびルータ６２を介して制御装置４と通信する態様について例示したが、これに代えて、通信端末６１が管理装置６４を介さずに直接ルータ６２を介して制御装置４と通信するように構成されてもよい。
【００７２】
また、本実施形態においては、モードの切り替え操作以外の通信端末６１で実行可能な操作として、追いだき運転開始操作、ふろ自動運転開始操作、および予約操作を例示したが、これらの操作をすべて可能としなくてもよい。また、浴槽に溜める湯量を設定するための湯量設定操作、浴槽を自動洗浄する浴槽洗浄開始操作等の他の操作を通信端末６１で実行可能としてもよい。
【００７３】
また、例えば、給湯装置１を含む設備機器システムが温水床暖房の機能を有する場合、温水床暖房の運転開始操作を通信端末６１を用いて実行可能としてもよい。
【００７４】
また、本実施形態では、給湯装置１（給湯装置本体２）は、水を加熱して出湯する給湯運転を含む１種類以上の運転（給湯運転、追いだき運転、ふろ自動運転）が可能なように構成されているが、少なくとも給湯運転が可能な構成であればよい。
【００７５】
また、本実施形態においては、複数の専用リモコンとして第１、第２専用リモコン３ａ，３ｂの２つを備えた構成を例示したが、これに限られない。専用リモコンは、３つ以上あってもよいし、１つでもよい。
【００７６】
また、本実施形態においては、１つの給湯装置１に対して１つの通信端末６１が対応付けられる態様を例示したが、１つの給湯装置１に対して複数の通信端末６１が対応付けられる態様についても本発明を同様に適用できる。
【００７７】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００７８】
本発明は、外部の通信端末から運転許可モードに切り替えられた場合でも、ユーザが予期せぬ高温の出湯を回避することができる給湯装置等として有用である。
【符号の説明】
【００７９】
１  給湯装置
２  給湯装置本体
３ａ，３ｂ  専用リモコン
４  制御装置
７  記憶部
３９  外部通信部（中継装置）
６１  通信端末
６３  外部通信網
【図１】
2020153526.tif 000003
【図２】
2020153526.tif 000004
【図３】
2020153526.tif 000005